(57)【特許請求の範囲】
【請求項１】
長方形の底板の４周を、前枠板と右側枠板と左側枠板と後枠板によって枠囲いして上方開口し、かつ、該前枠板の外周に、運搬車への引き上げ用掛止部を備えたコンテナ式塵芥車用コンテナにおいて、前記前枠板と前記後枠板のいずれか、またはいずれもが、開閉板形態にして前記左側枠板と前記右側枠板の端縁とヒンジ部によって連結されると共に、該ヒンジ部は、対となる一側のヒンジピンと他側のヒンジピン係止部が手動による係合解離自在の自在ヒンジ部に構成されると共に、該自在ヒンジ部が、ヒンジピンを支承した一側の主ヒンジブロックと、該ヒンジピンに掛け止めする半円形凹部を有する手動ハンドルつき鉤状ヒンジピン係止部を回転自在に収納した他側の副ヒンジブロックから成る構造を特徴とするコンテナ式塵芥車用コンテナ。
【発明の詳細な説明】
【０００１】
【発明の属する技術分野】
本発明は、百貨店・工場・市場等で多量の「廃棄物ごみ」を出すところで、その「ごみ」を定置した上方開口箱型のコンテナに投入し、満積となった該コンテナをコンテナ式塵芥運搬車に積み込んで運搬して「ごみ廃却」するのに反復使用するコンテナ式塵芥車用コンテナに関するものである。
【０００２】
【従来の技術】
広く使用されている「コンテナ式塵芥車用コンテナ２０（以下、単にコンテナ２０という）」は（図４参照）方形の底板２の４周側縁に「前枠板３と、開閉ドア構造の後枠板４と、左側枠板５と、右側枠板６」を立設枠囲いして上方開口した方形箱体にして、その前枠板３の外側上方部位に運搬車への「引き上げ用掛止部７」を備えると共に、底板２の後端近傍に後述するコンテナ式塵芥運搬車３０に積み込みするときに転動させる支承輪８と底板２の前端下側の支承脚９を設けた構造を有している。
【０００３】
そして、そのコンテナ２０に工場等の産業廃棄物等を投入して満載になると（図５参照）コンテナ式塵芥運搬車３０（以下、単に塵芥車３０という）のラガー３１を掛止部７に掛け止めして前方を引き上げて後部を支承輪８で支える傾斜姿勢にして塵芥車３０の車体に引き上げて積み込み、しかるのち廃却場へ運搬し、ラガー３１で前方部分を引き上げて傾斜姿勢にして、後枠板４をドア開放した後部からコンテナ２０内の廃棄物ごみを滑り出し放出して廃却処分し、空になったコンテナ２０を元の位置に復帰させて反復使用する。
【０００４】
【発明が解決しようとする課題】
従来の従来のコンテナ２０は（図４（Ｂ）参照）、例えば通常の工場作業を妨害しない隅空地や建物横の空地等に定置されるケースが多く、塵芥車３０からラガー３１で卸すとき後枠板４を前方にして卸すので後枠板４と建物・工場壁３３との間隙が充分に取れないことが多く、後枠板４が開閉不能の状態になるケースが多い。
【０００５】
従って、日常多量に発生する産業廃棄物は、コンテナ２０に梯子を掛けて上方から投入する作業となることが多く、危険にして労働災害をもたらすと共に作業性が悪く、さらに、投入作業が乱暴になって乱雑積みになるのでコンテナキャパシティーの有効利用性が低くコンテナ２０の１回当りの積載効率が悪い。
【０００６】
本発明は、以上の従来技術の難点を解消するコンテナ式塵芥車用コンテナを提供するものである。
【０００７】
【課題を解決するための手段】
以上の技術課題を解決する本発明のコンテナ式塵芥車用コンテナは「長方形の底板の４周を、前枠板と右側枠板と左側枠板と後枠板によって枠囲いして上方開口し、かつ、該前枠板の外周に、運搬車への引き上げ用掛止部を備えたコンテナ式塵芥車用コンテナにおいて、前記前枠板と前記後枠板のいずれか、またはいずれもが、開閉板形態にして前記左側枠板と前記右側枠板の端縁とヒンジ部によって連結されると共に、該ヒンジ部は、対となる一側のヒンジピンと他側のヒンジピン係止部が手動による係合解離自在の自在ヒンジ部に構成された構造」に成っている。
【０００８】
即ち、前記構成の本発明のコンテナ式塵芥車用コンテナは、前枠板と後枠板のいずれか、またはいずれもが左側枠板と右側枠板に対して「手動操作による係合ロックと、そのロック解放解離」が自在にできる両側ヒンジ連結構造に構成して、前枠板・後枠板の左側開き・右側開きのいずれかが自在にできる自在ヒンジ部連結にした構造が特徴である。
【０００９】
そして、前記の基本構成の態様として、前枠板・後枠板と底板を前記自在ヒンジ部によって連結し、前枠板・後枠板の「右側開き・左側開き・前倒し開き」の三方開放可能形態にする。
【００１０】
【作用】
以上の構成の本発明のコンテナ式塵芥車用コンテナは、工場等の所定位置に定置されたとき、塵芥車３０用のスペースが前方に存在する前枠板または後枠板のいずれか、またはいずれもが「左側開き・右側開き」の２方向開き、または「左側開き・右側開き・前倒し開き」の３方向開きが自在にできるので、それぞれの定置事情に応じて任意方向への開き解放をすることができる。
【００１１】
そして、その状態において「工場廃棄物ごみ」を、前枠板・後枠板の開放部分から搬入積み込みできるので、従来の危険にして非能率的なコンテナ上部からの投げ入れが無用になると共に、コンテナキャパシティーを有効に活用する整然積み込みがし易くなる。
【００１２】
【発明の実施の形態】
本発明の１実施例のコンテナ式塵芥車用コンテナ１（以下、単にコンテナ１という）を図１・図２を参照して説明する。即ち、方形の底板２の側縁４周に「前枠板３と後枠板４と左側枠板５と右側枠板６」を立設枠囲いして上方開口した方形箱体のコンテナ１において、前枠板３の左右側縁が左側枠板５と右側枠板６の側縁と自在ヒンジ部１０によってヒンジ連結され「ヒンジ回転とヒンジ連結解放フリー」が自在にできる構造に成っている。
【００１３】
詳しくは（図２参照）左・右側枠板５・６の側縁には、ヒンジピン１１を縦方向に「差し込み・引き抜き」自在にするヒンジピン孔１２Ａを上下方向に貫設した主ヒンジブロック１３が固定されている。
【００１４】
そして、この左・右側枠板５・６の側縁と接合する前枠板３の両側縁には、ヒンジピン１１の下半部分を「差し込み・引き抜き」自在に受け入れるヒンジピン孔１２Ｂを貫設した副ヒンジブロック１４が固定され、この副ヒンジブロック１４が前記構成のヒンジピン係止部に相当している。
【００１５】
そして、前枠板３と左・右側枠板５・６を直角に交差させて正常に連結した状態において主・副ヒンジブロック１３・１４が上下に重合してヒンジピン孔１２Ａ・１２Ｂが同一中心線上に重合し、ヒンジピン１１がヒンジピン孔１２Ａ１２Ｂに貫通セットされてヒンジ機構を構成し、前枠板３が手動によって「左右側枠板５・６に保持したヒンジピン１１」を回転中心として回転できる。
【００１６】
そして、その状態においてヒンジピン１１を抜き取ると前枠板３と左・右側枠板５・６の前記ヒンジ連結が解放されてフリーとなり、前枠板３は左右両側縁に存在する前記ヒンジ連結の一方のヒンジピン１１によって支承され、そのヒンジピン１１を回転支承軸として概ね２７０°まで回転解放できる。以上の「ヒンジピン１１保持用の主ヒンジブロック１３と、ヒンジピン１１係止用の副ヒンジブロック１４によって自在ヒンジ部１０が構成されている。
【００１７】
なお、自在ヒンジ部１０は掛止部７によるコンテナ１の引き上げ荷重を担持する必要があるので縦方向に２〜３個の複数個連設されると共に、この実施例の前枠板３は台板２の縁部に下端が載置されて自重を支承するように成っている。
【００１８】
以上のコンテナ１は従来のコンテナ２０と同様にラガー式塵芥運搬車３０に積み込まれて運搬され、所定のごみ廃却場へ「積載ごみ」を放出投棄する。
【００１９】
以上の図１実施例のコンテナ１は前記の作用がある。即ち、ラガー式塵芥運搬車３０用の広いスペースが前方に存在する前枠板３の「左開き・右開き」のいずれかの択一開きが可能にして、任意の方向に開いて積載ごみの積み込みができるので、従来の危険な梯子掛け投げ入れ作業は無用にして作業が安全になると共に作業能率が向上する。
【００２０】
そして、廃却ごみを積み込んだ手押し運搬車を底板２の上まで進めてコンテナ１への積み込み作業ができるので整然積み込みがし易く、コンテナ１のキャパシティーの有効利用と積載効率の向上が促進できる。
【００２１】
続いて図３を参照して本発明の他の実施例のコンテナを説明する。即ち、図１実施例と同様な自在ヒンジ部１０を設けて前枠板３を「左開き・右開き」自在にしたものにおいて、この実施例のコンテナ１は前枠板３と底板２の側縁間にも自在ヒンジ部１０が設けられ、前枠板３が「前方倒し開き」可能に構成され前記の「左右開き」と併せて３方開き可能に構成されている。
【００２２】
そして、この前枠板３と底板２間の自在ヒンジ部１０は下記の構造を有している。即ち（図３（Ｂ）（Ｃ）参照）前枠板３の下縁下側に設けた「ヒンジピン１１を支承する主ヒンジブロック１３」と、底板２の前縁下側に固定されて「ヒンジピン１１に掛け止めする半円凹部１６を有し、かつ手動ハンドル１７を突設した鉤状のヒンジピン係止部１５を概ね１８０°回転自在に収納した副ヒンジブロック１４」との組合せに成っている。
【００２３】
そして、図３（Ｂ）のようにヒンジピン係止部１５とヒンジピン１１を離反姿勢にすることによって底板２と前枠板３のヒンジ連結をルーズにして前枠板３の左右開きを可能にする。そして、手動ハンドル１７を操作して図３（Ｃ）のようにヒンジピン係止部１５をヒンジピン１１に掛け止め係合することによって、前枠板３がヒンジピン１１に噛み合い係止されてヒンジピン１１を回転中心として回転自在となり、前記の左・右側枠板５・６との自在ヒンジ部１０をルーズにすることによって  前枠板３の前倒し開きができるように成っている。
【００２４】
この図３実施例のものは前枠板３の３方開きができるので、本発明の前記の作用が一段と顕著になる。
【００２５】
なお、以上の本発明のコンテナ１は前記の実施例に限定されず、図示しないが後枠板４と「左右側枠板５・６または底板２」を前記の自在ヒンジ部１０で連結して前記の２方向開き・３方向開き形態にすることがあり、さらに、図３（Ｂ）（Ｃ）に示す自在ヒンジ部構造を、前枠板３・後枠板４と左・右側枠板５・６との自在ヒンジ部に適用したり、図２に示す自在ヒンジ部において「左右側枠板５・６に、ヒンジピン１１の下端部分を受け入れて前枠板３の副ヒンジブロック１４の下部と接合して、開閉作動する前枠板３の自重を支承させる構造」にすることがある。
【００２６】
【発明の効果】
以上の説明のとおり、本発明のコンテナ式塵芥車用コンテナは、産業廃棄物等の廃却ごみの積み込み作業が安全にして作業性・作業能率が良く、さらに、コンテナキャパシティーの有効活用性とコンテナ毎の積載量の増大を図り、産業廃棄物処理作業の一段の効率化と作業性の向上を図る有用な効果がある。
【図面の簡単な説明】
【図１】本発明１実施例のコンテナを示し、（Ａ）はその斜視図、（Ｂ）はその使用状態の斜視図
【図２】図１実施例の自在ヒンジ部を示し、（Ａ）はその構造説明の斜視図、（Ｂ）はその作用状態の正面図
【図３】本発明の他の実施例のコンテナを示し、（Ａ）はその部分斜視図、（Ｂ）（Ｃ）はその自在ヒンジ部の構造と作用状態を示す斜視図
【図４】従来のコンテナを示し、（Ａ）はその斜視図、（Ｂ）はその使用状態の平面図
【図５】コンテナ式塵芥車用コンテナの塵芥車への積み卸し説明図
【符号の説明】
１  本発明のコンテナ
２  底板
３  前枠板
４  後枠板
５  左側枠板
６  右側枠板
７  吊り上げ用掛止部
１０  自在ヒンジ部
１１  ヒンジピン
１２  ピン孔
１３  主ヒンジブロック
１４  副ヒンジブロック
１５  ヒンジピン係止部
１７  手動ハンドル
２０  従来のコンテナ
３０  コンテナ式塵芥運搬車
３１  ラガー
【図１】
0003638916.tif 000002
【図２】
0003638916.tif 000003
【図３】
0003638916.tif 000004
【図４】
0003638916.tif 000005
【図５】
0003638916.tif 000006